(57)【特許請求の範囲】
【請求項１】
顕微鏡本体に対して視野絞りと対物レンズとの間に着脱自在に設けられ、上記視野絞りの投影像を結像させる第１のレンズ群と、この第１のレンズ群に対して着脱自在に設けられ、上記視野絞りの色収差を除去する第２のレンズ群とを備えた顕微鏡用照明装置において、
上記第１のレンズ群の光軸方向の位置を、上記第２のレンズ群装着時に上記視野絞りの投影像を標本面に結像させる第１の位置と、上記第２のレンズ群非装着時に上記視野絞りの投影像を標本面に結像させる第２の位置とで選択的に固定可能とした
ことを特徴とする顕微鏡用照明装置。
【請求項２】
上記顕微鏡本体と第１のレンズ群との間に介在され、その着脱あるいは装着方向に応じて上記第１のレンズ群の顕微鏡本体に対する光軸方向の位置を変更可能なスペーサをさらに備えたことを特徴とする請求項１記載の顕微鏡用照明装置。
【発明の詳細な説明】
【０００１】
【発明の属する技術分野】
本発明は、観察方法に応じて、落射明視野照明系あるいは落射蛍光照明系を同一装置で構成する顕微鏡用照明装置に関する。
【０００２】
【従来の技術】
落射明視野照明系のみならず落射蛍光照明系の観察も同一構成で実行可能とした顕微鏡用ユニバーサル落射照明装置が特開平６−１８６４８１に開示されている。
【０００３】
この種の照明装置では、落射明視野照明による観察時の品位上、視野絞り投影像の色収差を除去するためにリレーレンズとして少なくともその一部にフリント系ガラスレンズを使用している。そして、このフリント系ガラスレンズは４００ｎｍ以下の紫外線域の透過率が低いため、標本に紫外線を照射して観察を行なう落射蛍光照明による観察時には、観察性能の劣化を避けるべく、このフリント系ガラスレンズによるリレーレンズを取り外すようにしている。
【０００４】
【発明が解決しようとする課題】
上述した顕微鏡用ユニバーサル落射照明装置では、落射蛍光照明による観察時にはリレーレンズを取り外してしまうため、光軸からレンズ群が１つ取り外されることで、視野絞りの投影像が標本面に結像しなくなり、機能上問題となることがある。
【０００５】
本発明は上記のような実情に鑑みてなされたもので、落射明視野照明系の観察時のみならず、落射蛍光照明系の観察時に色収差除去用のリレーレンズを取り外した状態でも視野絞りの投影像を標本面に結像させることが可能な顕微鏡用照明装置を提供することを目的とすることにある。
【０００６】
【課題を解決するための手段】
請求項１記載の発明は、顕微鏡本体に対して視野絞りと対物レンズとの間に着脱自在に設けられ、上記視野絞りの投影像を結像させる第１のレンズ群と、この第１のレンズ群に対して着脱自在に設けられ、上記視野絞りの色収差を除去する第２のレンズ群とを備え、上記第１のレンズ群の光軸方向の位置を、上記第２のレンズ群装着時に上記視野絞りの投影像を標本面に結像させる第１の位置と、上記第２のレンズ群非装着時に上記視野絞りの投影像を標本面に結像させる第２の位置とで選択的に固定可能とするようにしている。
【０００７】
この結果、請求項１記載の発明によれば、落射明視野照明系の観察時のみならず、落射蛍光照明系の観察時に色収差除去用のリレーレンズを取り外した状態でも視野絞りの投影像を標本面に結像させることができる。
【０００８】
請求項２記載の発明は、上記請求項１記載の発明において、上記顕微鏡本体と第１のレンズ群との間に介在され、その着脱あるいは装着方向に応じて上記第１のレンズ群の顕微鏡本体に対する光軸方向の位置を変更可能なスペーサをさらに備えるようにしたものである。
【０００９】
この結果、請求項２記載の発明によれば、第１のレンズ群の光軸方向の位置をスペーサの着脱あるいは装着方向により選択的に変更することで、落射明視野照明系の観察時と落射蛍光照明系の観察時での第１のレンズ群の位置変更の操作をより容易とすることができる。
【００１０】
【発明の実施の形態】
（第１の実施の形態）
図１は本発明の第１の実施の形態に係る顕微鏡用ユニバーサル落射照明装置の部分断面構造を示すもので、図の上側が落射明視野照明による観察時の構成、同下側が落射蛍光照明による観察時の構成である。
【００１１】
同図で、１がクラウン系ガラスレンズでなる視野絞り結像レンズ、２がクラウン系ガラスレンズ２ａとフリント系ガラスレンズ２ｂとの接合レンズでなる視野絞り色消しレンズ群、８が視野絞りであり、視野絞り結像レンズ１は視野絞り結像レンズ枠３に固定されている。
【００１２】
この視野絞り結像レンズ枠３に対して、同図上側に示す如く、上記視野絞り色消しレンズ群２を備えた視野絞り色消しレンズ枠４が螺合により挿入され、さらに外周に段差を設けたリング状のスペーサ５が螺合により固定される。上記色消しレンズ枠４は、ねじ部より先で結像レンズ枠３に嵌合することによって芯出しがなされる。
【００１３】
この視野絞り結像レンズ枠３は、顕微鏡本体６に嵌合、挿入され、視野絞り結像レンズ枠３の外周面に形成された２段のテーパ面３ａ，３ｂのうちのテーパ面３ａが、顕微鏡本体６に設けられたねじ孔に螺合されたレンズ枠固定ビス７に当接した状態でレンズ枠固定ビス７により締め込まれることで位置決め固定されて、落射明視野照明系のレンズ構成となる。この場合、レンズ枠固定ビス７の当接されている部分がテーパ面３ａであるため、レンズ枠固定ビス７を強く締め込むに連れて、視野絞り結像レンズ枠３を図中の左方に移動させる力が働き、より強固な固定となる。上記結像レンズ枠３は、顕微鏡本体６との嵌合により芯出しがなされる。
【００１４】
一方、落射蛍光照明系のレンズ構成とするためには、同図下側に示す如く、まず上記同図上側の状態からレンズ枠固定ビス７を緩めることで顕微鏡本体６から視野絞り結像レンズ枠３を視野絞り色消しレンズ枠４及びスペーサ５ごと取り外す。
【００１５】
その後、この視野絞り結像レンズ枠３から紫外線域の透過率の低いフリント系ガラスレンズ２ｂを使用している視野絞り色消しレンズ群２を固定した視野絞り色消しレンズ枠４を取り外し、スペーサ５の装着方向を逆にして、その外径がより小径となる側を視野絞り結像レンズ１側として再度視野絞り結像レンズ枠３に螺合する。
【００１６】
この視野絞り結像レンズ枠３を再び顕微鏡本体６に嵌合、挿入する。このとき、スペーサ５の外周の小径側は顕微鏡本体６の開口内径より小さく設定されているため、スペーサ５は段差の部分まで挿入されることとなる。
【００１７】
この状態で、視野絞り結像レンズ枠３の外周面に設けた２段のテーパ面３ａ，３ｂのうちの視野絞り８側のテーパ面３ｂにレンズ枠固定ビス７ａが当接するようにしてこのレンズ枠固定ビス７を締め込むことで、視野絞り結像レンズ枠３は図中の左方すなわち同図上側の上記落射明視野照明の観察時の状態に比して視野絞り８から距離ｘだけ離れた位置に固定される。このときも、レンズ枠固定ビス７の当接されている部分がテーパ面３ｂであるため、レンズ枠固定ビス７を強く締め込むに連れて、視野絞り結像レンズ枠３を図中の左方に移動させる力が働き、より強固な固定となる。上記距離ｘは、スペーサ５の外周が小径となっている部分の幅と、視野絞り結像レンズ枠３のテーパ面３ａ及びテーパ面３ｂの間隔とにより予め設定されている。
【００１８】
このように、落射明視野照明系のレンズ構成から落射蛍光照明系のレンズ構成へと変更した場合には、視野絞り色消しレンズ群２が取り外されると共に、スペーサ５の装着方向を変えることで視野絞り結像レンズ１及びこの視野絞り結像レンズ１を固定した視野絞り結像レンズ枠３が光軸に沿って図中の左方、視野絞り８から離れる方向に距離ｘだけ移動されることになる。
【００１９】
したがって、落射明視野照明系の観察時のみならず落射蛍光照明系の観察時においても、視野絞り８の投影像を図示しない標本面上に結像させることができるようになるものである。
【００２０】
（第２の実施の形態）
図２は本発明の第２の実施の形態に係る顕微鏡用ユニバーサル落射照明装置の部分断面構造を示すもので、図の上側が落射明視野照明による観察時の構成、同下側が落射蛍光照明による観察時の構成である。
【００２１】
同図は上記図１に示したものと基本的に同様であるので、同一部分には同一符号を付してその説明は省略する。
しかして、ここではスペーサ５として断面が矩形の単なる筒状のものを用いることとする。この場合、スペーサ５の内径は視野絞り結像レンズ枠３の外径及び顕微鏡本体６の開口内径と略等しく、視野絞り結像レンズ枠３のスペーサ５取付け側の端部が図示する如くより大径となるように段差を設けた構成となっているために、スペーサ５を装着した落射明視野照明系のレンズ構成では、レンズ枠固定ビス７がテーパ面３ａに当接され、締め付けられることで固定されるものである。
【００２２】
落射蛍光照明系のレンズ構成とするためには、同図下側に示す如く、まず上記同図上側の状態からレンズ枠固定ビス７を緩めることで顕微鏡本体６から視野絞り結像レンズ枠３を視野絞り色消しレンズ枠４及びスペーサ５ごと取り外す。
【００２３】
その後、この視野絞り結像レンズ枠３から視野絞り色消しレンズ群２を取り外すと共に、スペーサ５を取り外し、視野絞り結像レンズ枠３を再び顕微鏡本体６に嵌合、挿入する。このとき、スペーサ５が取り外されているために視野絞り結像レンズ枠３はその端部の段差部分まで挿入されることとなる。
【００２４】
この状態で、視野絞り結像レンズ枠３の外周面に設けたテーパ面３ｂにレンズ枠固定ビス７ａが当接するようにしてこのレンズ枠固定ビス７を締め込むことで、視野絞り結像レンズ枠３は図中の左方すなわち同図上側の上記落射明視野照明系の観察時の状態に比して視野絞り８から距離ｘだけ離れた位置に固定される。この距離ｘは、スペーサ５の幅と、視野絞り結像レンズ枠３のテーパ面３ａ及びテーパ面３ｂの間隔とにより予め設定される。
【００２５】
このように、落射明視野照明系のレンズ構成から落射蛍光照明系のレンズ構成へと変更した場合には、視野絞り色消しレンズ群２が取り外されると共に、スペーサ５を取り外すことによって視野絞り結像レンズ１及びこの視野絞り結像レンズ１を固定した視野絞り結像レンズ枠３が光軸に沿って図中の左方、視野絞り８から離れる方向に距離ｘだけ移動されることになる。
【００２６】
したがって、落射明視野照明系の観察時のみならず落射蛍光照明系の観察時においても、視野絞り８の投影像を図示しない標本面上に結像させることができるようになるものである。
【００２７】
（第３の実施の形態）
図３は本発明の第３の実施の形態に係る顕微鏡用ユニバーサル落射照明装置の部分断面構造を示すもので、図の上側が落射明視野照明による観察時の構成、同下側が落射蛍光照明による観察時の構成である。
【００２８】
同図は上記図１に示したものと基本的に同様であるので、同一部分には同一符号を付してその説明は省略する。
しかして、視野絞り結像レンズ枠３の外周面には上記図１の２つのテーパ面３ａ，３ｂに代えて、連続した１つのテーパ面３ｃが形成されるもので、上記図１で説明した場合と同様に、落射明視野照明系のレンズ構成及び落射蛍光照明系のレンズ構成のいずれにあっても、レンズ枠固定ビス７の当接されている部分がテーパ面３ｃであるため、レンズ枠固定ビス７を強く締め込むに連れて、視野絞り結像レンズ枠３を図中の左方に移動させる力が働き、より強固な固定となる。
【００２９】
（第４の実施の形態）
図４は本発明の第４の実施の形態に係る顕微鏡用ユニバーサル落射照明装置の部分断面構造を示すもので、図の上側が落射明視野照明による観察時の構成、同下側が落射蛍光照明による観察時の構成である。
【００３０】
同図は上記図２に示したものと基本的に同様であるので、同一部分には同一符号を付してその説明は省略する。
しかして、視野絞り結像レンズ枠３の外周面には上記図２の２つのテーパ面３ａ，３ｂに代えて、連続した１つのテーパ面３ｃが形成されるもので、落射明視野照明系のレンズ構成及び落射蛍光照明系のレンズ構成のいずれにあっても、レンズ枠固定ビス７の当接されている部分がテーパ面３ｃであるため、レンズ枠固定ビス７を強く締め込むに連れて、視野絞り結像レンズ枠３を図中の左方に移動させる力が働き、より強固な固定となる。
【００３１】
（第５の実施の形態）
図５は本発明の第５の実施の形態に係る顕微鏡用ユニバーサル落射照明装置の部分断面構造を示すもので、図の上側が落射明視野照明による観察時の構成、同下側が落射蛍光照明による観察時の構成である。
【００３２】
同図は上記図１及び図３に示したものと基本的に同様であるので、同一部分には同一符号を付してその説明は省略する。
しかして、視野絞り結像レンズ枠３の外周面には、上記図１の２つのテーパ面３ａ，３ｂあるいは図３の連続した１つのテーパ面３ｃに代えて、２つのＶ字溝３ｄ，３ｅが形成されるもので、落射明視野照明系のレンズ構成時にあってはＶ字溝３ｄが、落射蛍光照明系のレンズ構成時にあってはＶ字溝３ｅがそれぞれレンズ枠固定ビス７と当接され、共にレンズ枠固定ビス７を強く締め込むことで、予め設定された位置に強固に固定されることとなる。
【００３３】
（第６の実施の形態）
図６は本発明の第６の実施の形態に係る顕微鏡用ユニバーサル落射照明装置の部分断面構造を示すもので、図の上側が落射明視野照明による観察時の構成、同下側が落射蛍光照明による観察時の構成である。
【００３４】
同図は上記図２及び図４に示したものと基本的に同様であるので、同一部分には同一符号を付してその説明は省略する。
しかして、視野絞り結像レンズ枠３の外周面には、上記図２の２つのテーパ面３ａ，３ｂあるいは図４の連続した１つのテーパ面３ｃに代えて、２つのＶ字溝３ｄ，３ｅが形成されるもので、落射明視野照明系のレンズ構成時にあってはＶ字溝３ｄが、落射蛍光照明系のレンズ構成時にあってはＶ字溝３ｅがそれぞれレンズ枠固定ビス７と当接され、共にレンズ枠固定ビス７を強く締め込むことで、予め設定された位置に強固に固定されることとなる。
【００３５】
（第７の実施の形態）
図７は本発明の第７の実施の形態に係る顕微鏡用ユニバーサル落射照明装置の部分断面構造を示すもので、図の上側が落射明視野照明による観察時の構成、同下側が落射蛍光照明による観察時の構成である。
【００３６】
同図で、１がクラウン系ガラスレンズでなる視野絞り結像レンズ、２がクラウン系ガラスレンズ２ａとフリント系ガラスレンズ２ｂとの接合レンズでなる視野絞り色消しレンズ群、８が視野絞りであり、視野絞り結像レンズ１は視野絞り結像レンズ枠３に固定されている。
【００３７】
この視野絞り結像レンズ枠３に対して、同図上側に示す如く、上記視野絞り色消しレンズ群２を備えた視野絞り色消しレンズ枠４が螺合により挿入され、さらに外周に段差を設けたリング状のスペーサ５が螺合により固定される。上記色消しレンズ枠４は、ねじ部より先で結像レンズ枠３に嵌合することによって芯出しがなされる。
【００３８】
この視野絞り結像レンズ枠３は、その外周面端部に螺刻したねじ山３ｆにより、顕微鏡本体６の開口内壁に螺刻されたねじ山６ａと螺合されることで挿入され、スペーサ５の端面が顕微鏡本体６に当接されるまで締め込まれることで位置決め固定されて、落射明視野照明系のレンズ構成となる。上記結像レンズ枠３はねじ山６ａより先で顕微鏡本体６との嵌合により芯出しがなされる。
【００３９】
一方、落射蛍光照明系のレンズ構成とするためには、同図下側に示す如く、まず上記同図上側の状態から視野絞り結像レンズ枠３を緩めることで顕微鏡本体６から視野絞り結像レンズ枠３を視野絞り色消しレンズ枠４及びスペーサ５ごと取り外す。
【００４０】
その後、この視野絞り結像レンズ枠３から紫外線域の透過率の低いフリント系ガラスレンズ２ｂを使用している視野絞り色消しレンズ群２を固定した視野絞り色消しレンズ枠４を取り外し、スペーサ５の装着方向を逆にして、その外径がより小径となる側を視野絞り結像レンズ１側として再度視野絞り結像レンズ枠３に螺合する。
【００４１】
この視野絞り結像レンズ枠３を再び顕微鏡本体６に螺合、挿入する。このとき、スペーサ５の外周の小径側は顕微鏡本体６の開口内径より小さく設定されているため、スペーサ５が段差の部分まで挿入されるようにして視野絞り結像レンズ枠３を強く締め込む。
【００４２】
視野絞り結像レンズ枠３は図中の左方すなわち同図上側の上記落射明視野照明系の観察時の状態に比して視野絞り８から距離ｘだけ離れた位置に固定される。上記距離ｘは、スペーサ５の外周が小径となっている部分の幅により予め設定されている。
【００４３】
このように、落射明視野照明系のレンズ構成から落射蛍光照明系のレンズ構成へと変更した場合には、視野絞り色消しレンズ群２が取り外されると共に、スペーサ５の装着方向を変えることで視野絞り結像レンズ１及びこの視野絞り結像レンズ１を固定した視野絞り結像レンズ枠３が光軸に沿って図中の左方、視野絞り８から離れる方向に距離ｘだけ移動されることになる。
【００４４】
したがって、落射明視野照明系の観察時のみならず落射蛍光照明系の観察時においても、視野絞り８の投影像を図示しない標本面上に結像させることができるようになるものである。
【００４５】
（第８の実施の形態）
図８は本発明の第８の実施の形態に係る顕微鏡用ユニバーサル落射照明装置の部分断面構造を示すもので、図の上側が落射明視野照明による観察時の構成、同下側が落射蛍光照明による観察時の構成である。
【００４６】
同図は上記図７に示したものと基本的に同様であるので、同一部分には同一符号を付してその説明は省略する。
しかして、ここではスペーサ５として断面が矩形の単なる筒状のものを用いることとする。この場合、スペーサ５の内径は視野絞り結像レンズ枠３の外径及び顕微鏡本体６の開口内径と略等しく、視野絞り結像レンズ枠３のスペーサ５取付け側の端部が図示する如くより大径となるように段差を設けた構成となっているために、スペーサ５を装着した落射明視野照明系のレンズ構成では、視野絞り結像レンズ枠３を締め込んでスペーサ５が顕微鏡本体６と視野絞り結像レンズ枠３端部の段差部分とに挟まれた状態で固定されるものである。
【００４７】
落射蛍光照明系のレンズ構成とするためには、同図下側に示す如く、まず上記同図上側の状態から視野絞り結像レンズ枠３を緩めることで顕微鏡本体６から視野絞り結像レンズ枠３を視野絞り色消しレンズ枠４及びスペーサ５ごと取り外す。
【００４８】
その後、この視野絞り結像レンズ枠３から視野絞り色消しレンズ群２を取り外すと共に、スペーサ５を取り外し、視野絞り結像レンズ枠３を再び顕微鏡本体６に螺合、挿入する。このとき、スペーサ５が取り外されているために視野絞り結像レンズ枠３はその端部の段差部分まで挿入されることとなる。
【００４９】
この状態で、視野絞り結像レンズ枠３をさらに締め込むことで、視野絞り結像レンズ枠３は図中の左方すなわち同図上側の上記落射明視野照明系の観察時の状態に比して視野絞り８から距離ｘだけ離れた位置に固定される。この距離ｘは、スペーサ５の幅により予め設定される。
【００５０】
このように、落射明視野照明系のレンズ構成から落射蛍光照明系のレンズ構成へと変更した場合には、視野絞り色消しレンズ群２が取り外されると共に、スペーサ５を取り外すことによって視野絞り結像レンズ１及びこの視野絞り結像レンズ１を固定した視野絞り結像レンズ枠３が光軸に沿って図中の左方、視野絞り８から離れる方向に距離ｘだけ移動されることになる。
【００５１】
したがって、落射明視野照明系の観察時のみならず落射蛍光照明系の観察時においても、視野絞り８の投影像を図示しない標本面上に結像させることができるようになるものである。
【００５２】
以上各実施の形態に基づいて説明したが、本発明中には以下の発明が含まれる。
（１）  顕微鏡本体に対して視野絞りと対物レンズとの間に着脱自在に設けられ、上記視野絞りの投影像を結像させる第１のレンズ群と、この第１のレンズ群に対して着脱自在に設けられ、上記視野絞りの色収差を除去する第２のレンズ群とを備えた顕微鏡用照明装置において、
上記第１のレンズ群の光軸方向の位置を、上記第２のレンズ群装着時に上記視野絞りの投影像を標本面に結像させる第１の位置と、上記第２のレンズ群非装着時に上記視野絞りの投影像を標本面に結像させる第２の位置とで選択的に固定可能としたことを特徴とする顕微鏡用照明装置。
このようにすれば、落射明視野照明系の観察時のみならず、落射蛍光照明系の観察時に色収差除去用のリレーレンズを取り外した状態でも視野絞りの投影像を標本面に結像させることができる。
【００５３】
（２）  上記（１）項において、上記顕微鏡本体と第１のレンズ群との間に介在され、その着脱あるいは装着方向に応じて上記第１のレンズ群の顕微鏡本体に対する光軸方向の位置を変更可能なスペーサをさらに備えることを特徴とする顕微鏡用照明装置。
このようにすれば、（１）項に加えて、第１のレンズ群の光軸方向の位置をスペーサの着脱あるいは装着方向により選択的に変更することで、落射明視野照明系の観察時と落射蛍光照明系の観察時での第１のレンズ群の位置変更の操作をより容易とすることができる。
【００５４】
【発明の効果】
以上詳記した如く本発明によれば、落射明視野照明系の観察時のみならず、落射蛍光照明系の観察時に色収差除去用のリレーレンズを取り外した状態でも視野絞りの投影像を標本面に結像させることが可能な顕微鏡用照明装置を提供することができる。
【図面の簡単な説明】
【図１】本発明の第１の実施の形態に係る照明装置の落射明視野照明系及び落射蛍光照明系のレンズ構成を示す部分断面図。
【図２】本発明の第２の実施の形態に係る照明装置の落射明視野照明系及び落射蛍光照明系のレンズ構成を示す部分断面図。
【図３】本発明の第３の実施の形態に係る照明装置の落射明視野照明系及び落射蛍光照明系のレンズ構成を示す部分断面図。
【図４】本発明の第４の実施の形態に係る照明装置の落射明視野照明系及び落射蛍光照明系のレンズ構成を示す部分断面図。
【図５】本発明の第５の実施の形態に係る照明装置の落射明視野照明系及び落射蛍光照明系のレンズ構成を示す部分断面図。
【図６】本発明の第６の実施の形態に係る照明装置の落射明視野照明系及び落射蛍光照明系のレンズ構成を示す部分断面図。
【図７】本発明の第７の実施の形態に係る照明装置の落射明視野照明系及び落射蛍光照明系のレンズ構成を示す部分断面図。
【図８】本発明の第８の実施の形態に係る照明装置の落射明視野照明系及び落射蛍光照明系のレンズ構成を示す部分断面図。
【符号の説明】
１…視野絞り結像レンズ（クラウン系ガラスレンズ）
２…視野絞り色消しレンズ群
２ａ…クラウン系ガラスレンズ
２ｂ…フリント系ガラスレンズ
３…視野絞り結像レンズ枠
３ａ，３ｂ，３ｃ…テーパ面
３ｄ，３ｅ…Ｖ字溝
３ｆ，６ａ…ねじ山
４…視野絞り色消しレンズ枠
５…スペーサ
６…顕微鏡本体
７…レンズ枠固定ビス
８…視野絞り
【図１】
0003563840.tif 000002
【図２】
0003563840.tif 000003
【図３】
0003563840.tif 000004
【図４】
0003563840.tif 000005
【図５】
0003563840.tif 000006
【図６】
0003563840.tif 000007
【図７】
0003563840.tif 000008
【図８】
0003563840.tif 000009